(57)【要約】【課題】ブラシの無用の摩耗を低減する。【構成】データを収集する高速回転時には、バネ支持板５２を下側に位置付けて、ブラシ３１，３５，３９，４３をスリップリングＳＬａ，ＳＬｂ，ＳＬｃ，ＳＬｄへ比較的大きな第１の押圧力で当接させる。データを収集しない低速回転時には、バネ支持板５２を上側に位置付けて、ブラシ３１，３５，３９，４３をスリップリングＳＬａ，ＳＬｂ，ＳＬｃ，ＳＬｄへ比較的小さな第２の押圧力で当接させる。【効果】ブラシの寿命および交換サイクルを延長し、ランニングコストを節減できる。【選択図】　図３
2004105365.tif 000002
【特許請求の範囲】
【請求項１】
走査ガントリの固定側と回転側の一方側に設けられた２系統以上のスリップリングと、各系統のスリップリングに対応して他方側に設けられた１系統につき複数個のブラシと、一つの系統の複数のブラシをスリップリングへ第１の押圧力で当接させるか又は第１の押圧力より小さい第２の押圧力で当接させるかを切り替え可能に保持するブラシ保持手段と、前記切り替えを制御する切替制御手段とを具備したことを特徴とするＣＴ装置。
【請求項２】
請求項１に記載のＣＴ装置において、前記切替制御手段は、高速回転時に一つの系統の複数のブラシを第１の押圧力でスリップリングへ当接させ、低速回転時に一つの系統の複数のブラシを第２の押圧力でスリップリングへ当接させることを特徴とするＣＴ装置。
【請求項３】
請求項１または請求項２に記載のＣＴ装置において、前記ブラシ保持手段は、個々のブラシの反スリップリング側面を押す付勢手段を有し、前記切替制御手段は、一つの系統の複数のブラシに対応する各付勢手段の付勢力を同時に切り替える手段であることを特徴とするＣＴ装置。
【請求項４】
請求項１から請求項３のいずれかに記載のＣＴ装置において、前記切替制御手段は、２系統以上の少なくとも４個のブラシに対応する各付勢手段の付勢力を同時に切り替える手段であることを特徴とするＣＴ装置。
【請求項５】
走査ガントリの固定側と回転側の一方側に設けられた２系統以上のスリップリングと、各系統のスリップリングに対応して他方側に設けられた１系統につき複数個のブラシと、一つの系統の複数のブラシをスリップリングへ接触させるか非接触にするかを切り替え可能に保持するブラシ保持手段と、前記切り替えを制御する切替制御手段とを具備したことを特徴とするＣＴ装置。
【請求項６】
請求項５に記載のＣＴ装置において、前記切替制御手段は、高速回転時に一つの系統の複数のブラシをスリップリングへ当接させ、低速回転時に一つの系統の複数のブラシをスリップリングから浮かせることを特徴とするＣＴ装置。
【請求項７】
請求項５または請求項６に記載のＣＴ装置において、前記ブラシ保持手段は、一つの系統の複数のブラシを一体に保持するブラシ保持手段を有し、前記切替制御手段は、前記スリップリングに対する前記ブラシ保持手段の位置を移動させる手段であることを特徴とするＣＴ装置。
【請求項８】
請求項５から請求項７のいずれかに記載のＣＴ装置において、前記ブラシ保持手段は、２系統以上の少なくとも４個のブラシを一体に保持するブラシ保持手段を有し、前記切替制御手段は、前記スリップリングに対する前記ブラシ保持手段の位置を移動させる手段であり、２系統以上の少なくとも４個のブラシをスリップリングへ接触させるか非接触にするかを同時に切り替えることを特徴とするＣＴ装置。
【請求項９】
請求項１から請求項８のいずれかに記載のＣＴ装置において、前記系統には、電源系統と信号系統の２系統があることを特徴とするＣＴ装置。
【発明の詳細な説明】
【０００１】
【発明の属する技術分野】
本発明は、ＣＴ（Ｃｏｍｐｕｔｅｄ　Ｔｏｍｏｇｒａｐｈｙ）装置に関し、さらに詳しくは、ブラシの無用の摩耗を低減または回避できるようにしたＣＴ装置に関する。
【０００２】
【従来の技術】
図１４は、従来のＣＴ装置５００の走査ガントリの回転側に設けられたリング状ディスクＲＤと固定側に設けられたブラシ・ブロックＢＢを示す正面図である。図１５は、図１４のＰ−Ｐ’断面図である。
リング状ディスクＲＤに設けられている多数のスリップリングＳＬａ，ＳＬｂ，ＳＬｃ，ＳＬｄとブラシ・ブロックＢＢに設けられている多数のブラシ３１，３５，３９，４３，…との間で、電力や信号の伝達が行われる。
【０００３】
１系統のスリップリングに対するブラシの個数は、例えば６〜１２個である。そして、電源系統は例えば６系統あり、信号系統は例えば９系統ある。
【０００４】
ブラシ・ブロックＢＢは、支持台５９ａ，５９ｂと支柱５５ａ，５５ｂとにより支持されたホルダ支持板５６を具備している。
ホルダ支持板５６は、ブラシ３１，３５，３９，４３，…を保持するためのホルダ３２，３６，４０，４４，…を保持している。
ホルダ３２，３６，４０，４４，…内には、ブラシ３１，３５，…の反スリップリング側面を押すバネ３３，３７，４１，４５，…が収容され、バネ３３，３７，４１，４５，…の反ブラシ側はバネキャップ３４，３８，４２，４６，…で押さえられている。
【０００５】
ブラシ３１，３５，３９，４３，…をスリップリングＳＬａ，ＳＬｂ，ＳＬｃ，ＳＬｄへ当接させる押圧力は、ホルダ３２，３６，４０，４４，…に対するバネキャップ３４，３８，４２，４６，…の螺合の程度を変えることにより調節可能である。
【０００６】
【発明が解決しようとする課題】
データ収集時には回転側は高速回転するが、この高速回転の立上りを速くするために、データ非収集時にも回転側を低速回転することが行われている。
しかし、従来のＣＴ装置では、低速回転時でも、ブラシ３１，３５，３９，４３，…をスリップリングＳＬａ，ＳＬｂ，ＳＬｃ，ＳＬｄへ当接させる押圧力は高速回転時と同じであったため、ブラシ３１，３５，３９，４３，…が無用に摩耗する問題点があった。
そこで、本発明の目的は、ブラシの無用の摩耗を低減または回避できるようにしたＣＴ装置を提供することにある。
【０００７】
【課題を解決するための手段】
第１の観点では、本発明は、走査ガントリの固定側と回転側の一方側に設けられた２系統以上のスリップリングと、各系統のスリップリングに対応して他方側に設けられた１系統につき複数個のブラシと、一つの系統の複数のブラシをスリップリングへ第１の押圧力で当接させるか又は第１の押圧力より小さい第２の押圧力で当接させるかを切り替え可能に保持するブラシ保持手段と、前記切り替えを制御する切替制御手段とを具備したことを特徴とするＣＴ装置を提供する。
上記第１の観点によるＣＴ装置では、高速回転時には比較的大きな第１の押圧力とすることで、スリップリングとブラシの間で信号や電力を支障なく伝達できる。一方、低速回転時には比較的小さな第２の押圧力とすることで、ブラシの摩耗を低減できる。また、いずれの押圧力にしても、スリップリングにブラシが当接しているため、ゴミが入る隙間を生じない。なお、第１の押圧力と第２の押圧力は、それぞれ広がりを持っていても良い。
【０００８】
第２の観点では、本発明は、上記構成のＣＴ装置において、前記切替制御手段は、高速回転時に一つの系統の複数のブラシを第１の押圧力でスリップリングへ当接させ、低速回転時に一つの系統の複数のブラシを第２の押圧力でスリップリングへ当接させることを特徴とするＣＴ装置を提供する。
上記第２の観点によるＣＴ装置では、高速回転時には比較的大きな第１の押圧力とするので、スリップリングとブラシの間で信号や電力を支障なく伝達できる。一方、低速回転時には比較的小さな第２の押圧力とするので、ブラシの摩耗を低減できる。また、いずれの押圧力にしても、スリップリングにブラシが当接しているため、ゴミが入る隙間を生じない。なお、第１の押圧力と第２の押圧力は、それぞれ広がりを持っていても良い。
【０００９】
第３の観点では、本発明は、上記構成のＣＴ装置において、前記ブラシ保持手段は、個々のブラシの反スリップリング側面を押す付勢手段を有し、前記切替制御手段は、一つの系統の複数のブラシに対応する各付勢手段の付勢力を同時に切り替える手段であることを特徴とするＣＴ装置を提供する。
上記第３の観点によるＣＴ装置では、一つの系統の複数のブラシの押圧力を同時に切り替えることが出来る。
【００１０】
第４の観点では、本発明は、上記構成のＣＴ装置において、前記切替制御手段は、２系統以上の少なくとも４個のブラシに対応する各付勢手段の付勢力を同時に切り替える手段であることを特徴とするＣＴ装置を提供する。
上記第４の観点によるＣＴ装置では、２系統以上のブラシの押圧力を同時に切り替えることが出来る。
【００１１】
第５の観点では、本発明は、走査ガントリの固定側と回転側の一方側に設けられた２系統以上のスリップリングと、各系統のスリップリングに対応して他方側に設けられた１系統につき複数個のブラシと、一つの系統の複数のブラシをスリップリングへ接触させるか非接触にするかを切り替え可能に保持するブラシ保持手段と、前記切り替えを制御する切替制御手段とを具備したことを特徴とするＣＴ装置を提供する。
上記第５の観点によるＣＴ装置では、高速回転時にはスリップリングとブラシとを接触させることにより信号や電力を伝達できる。一方、低速回転時にはスリップリングとブラシとを非接触とすることによりブラシの摩耗を回避できる。なお、接触時２の押圧力は、広がりを持っていても良い。
【００１２】
第６の観点では、本発明は、上記構成のＣＴ装置において、前記切替制御手段は、高速回転時に一つの系統の複数のブラシをスリップリングへ当接させ、低速回転時に一つの系統の複数のブラシをスリップリングから浮かせることを特徴とするＣＴ装置を提供する。
上記第６の観点によるＣＴ装置では、一つの系統の複数のブラシを同時に浮かせることが出来る。
【００１３】
第７の観点では、本発明は、上記構成のＣＴ装置において、前記ブラシ保持手段は、一つの系統の複数のブラシを一体に保持するブラシ保持手段を有し、前記切替制御手段は、前記スリップリングに対する前記ブラシ保持手段の位置を移動させる手段であることを特徴とするＣＴ装置を提供する。
上記第７の観点によるＣＴ装置では、一つの系統の複数のブラシを同時に浮かせることが出来る。
【００１４】
第８の観点では、本発明は、上記構成のＣＴ装置において、前記ブラシ保持手段は、２系統以上の少なくとも４個のブラシを一体に保持するブラシ保持手段を有し、前記切替制御手段は、前記スリップリングに対する前記ブラシ保持手段の位置を移動させる手段であり、２系統以上の少なくとも４個のブラシをスリップリングへ接触させるか非接触にするかを同時に切り替えることを特徴とするＣＴ装置を提供する。
上記第８の観点によるＣＴ装置では、２系統以上のブラシを同時に浮かせることが出来る。
【００１５】
第９の観点では、本発明は、上記構成のＣＴ装置において、前記系統には、電源系統と信号系統の２系統があることを特徴とするＣＴ装置を提供する。
上記第９の観点によるＣＴ装置では、電源系統のブラシは一定の押圧力で接触させ、信号系統のブラシは押圧力を切り替えたり、浮かせたりすることが出来る。
【００１６】
【発明の実施の形態】
以下、図に示す実施の形態により本発明をさらに詳細に説明する。なお、これにより本発明が限定されるものではない。
【００１７】
−第１の実施形態−
図１は、第１の実施形態にかかるＣＴ装置１００を示す構成図である。
このＸ線ＣＴ装置１００は、操作コンソール１と、撮影テーブル１０と、走査ガントリ２０とを具備している。
【００１８】
操作コンソール１は、操作者の入力を受け付ける入力装置２と、画像生成処理などを実行する中央処理装置３と、走査ガントリ２０で取得した投影データを収集する投影データ収集バッファ５と、投影データから再構成したＣＴ画像などを表示するＣＲＴ６と、プログラムや投影データやＸ線ＣＴ画像を記憶する記憶装置７とを具備している。
【００１９】
テーブル装置１０は、被検体を乗せて走査ガントリ２０のボア（空洞部）に入れ出しするクレードル１２を具備している。クレードル１２は、テーブル装置１０に内蔵するモータで駆動される。
【００２０】
走査ガントリ２０の回転側は、Ｘ線管２１と、Ｘ線コントローラ２２と、コリメータ２３と、検出器２４と、ＤＡＳ（Ｄａｔａ　Ａｃｑｕｉｓｉｔｉｏｎ　Ｓｙｓｔｅｍ）２５と、被検体の体軸の回りにＸ線管２１などを回転させる回転コントローラ２６と、スリップリングＳＬとを具備している。
走査ガントリ２０の固定側は、制御信号などを操作コンソール１や撮影テーブル１０とやり取りする制御インタフェース２９と、多数のブラシを保持したブラシ・ブロックＢＢと、ブラシの押圧力を切り替える制御を行う切替制御部ＣＣとを具備している。
【００２１】
図２は、ＣＴ装置１００の走査ガントリ２０の回転側に設けられたリング状ディスクＲＤと固定側に設けられたブラシ・ブロックＢＢを示す正面図である。図３，図４は、図２のＰ−Ｐ’断面図である。
リング状ディスクＲＤに設けられている多数のスリップリングＳＬａ，ＳＬｂ，ＳＬｃ，ＳＬｄとブラシ・ブロックＢＢに設けられている多数のブラシ３１，３５，３９，４３，…との間で、電力や信号の伝達が行われる。
【００２２】
ブラシ・ブロックＢＢは、支持台５９ａ，５９ｂとガイドピン５１ａ，５１ｂとにより支持されたホルダ支持板５６を具備している。
ホルダ支持板５６は、ブラシ３１，３５，３９，４３，…を保持するためのホルダ３２，３６，４０，４４，…を保持している。
ホルダ３２，３６，４０，４４，…内には、ブラシ３１，３５，…の反スリップリング側面を押すバネ３３，３７，４１，４５，…が収容され、バネ３３，３７，４１，４５，…の反ブラシ側はバネ支持板５２で押さえられている。
【００２３】
バネ支持板５２にはナット６３が固着され、ナット６３はネジ軸６２に螺合し、ネジ軸６２はモータ６１の回転軸に取り付けられ、モータ６１は固定側に固定されている。ナット６３とネジ軸６２によりボールねじ機構６０が構成されているため、モータ６１の回転により、バネ支持板５２をスリップリングＳＬａ，ＳＬｂ，…に対して移動することが出来る。
【００２４】
次に、ＣＴ装置１００の動作について説明する。
図３に示すように、例えばアキシャルスキャンやヘリカルスキャンでデータ収集を行う高速回転時には、切替制御部ＣＣは、モータ６１を所定量だけ回転させ、バネ支持板５２をスリップリングＳＬａ，ＳＬｂ，…に対して第１の距離に近づける。これにより、バネ３３，３７，４１，４５，…が押され、比較的大きい第１の押圧力になる。
一方、図４に示すように、データ収集を行わない低速回転時には、切替制御部ＣＣは、モータ６１を所定量だけ逆回転させ、バネ支持板５２をスリップリングＳＬａ，ＳＬｂ，…に対して第２の距離まで遠ざける。これにより、バネ３３，３７，４１，４５，…が緩められ、比較的小さい第２の押圧力（例えば第１の押圧力の１／２〜１／１０）になる。
【００２５】
第１の実施形態にかかるＣＴ装置１００によれば、ブラシ３１，３５，…の無用な摩耗を低減できる。また、いずれの押圧力にしてもスリップリングＳＬａ，ＳＬｂ，…にブラシ３１，３５，…が当接しているため、ゴミが入る隙間を生じない。
【００２６】
−第２の実施形態−
図５は、第２の実施形態にかかるＣＴ装置２００の走査ガントリの回転側に設けられたリング状ディスクＲＤと固定側に設けられたブラシ・ブロックＢＢを示す正面図である。図６，図７は、図５のＰ−Ｐ’断面図である。
リング状ディスクＲＤに設けられている多数のスリップリングＳＬａ，ＳＬｂ，ＳＬｃ，ＳＬｄとブラシ・ブロックＢＢに設けられている多数のブラシ３１，３５，３９，４３，…との間で、電力や信号の伝達が行われる。
【００２７】
ブラシ・ブロックＢＢは、支持台５９ａ，５９ｂとガイドピン５１ａ，５１ｂとにより支持されたホルダ支持板５６を具備している。
ホルダ支持板５６は、ブラシ３１，３５，３９，４３，…を保持するためのホルダ３２，３６，４０，４４，…を保持している。
ホルダ３２，３６，４０，４４，…内には、ブラシ３１，３５，…の反スリップリング側面を押すバネ３３，３７，４１，４５，…が収容され、バネ３３，３７，４１，４５，…の反ブラシ側はバネ支持板５２で押さえられている。
【００２８】
バネ支持板５２は、シャフト６５に固着されている。
シャフト６５は、ソレノイド６４が励磁されると、電磁力で、ソレノイド６４に吸い込まれる。
スプリング６６は、バネ支持板５２をホルダ支持板５６から遠ざけるように付勢している。
【００２９】
次に、ＣＴ装置２００の動作について説明する。
図６に示すように、例えばアキシャルスキャンやヘリカルスキャンでデータ収集を行う高速回転時には、切替制御部ＣＣは、ソレノイド６４を励磁してシャフト６５を吸い込ませ、バネ支持板５２をスリップリングＳＬａ，ＳＬｂ，…に対して第１の距離に近づける。第１の距離は、ガイドピン５１ａに設けたストッパ６７ａの位置で決まる。これにより、バネ３３，３７，４１，４５，…が押され、比較的大きい第１の押圧力になる。
一方、図７に示すように、データ収集を行わない低速回転時には、切替制御部ＣＣは、ソレノイド６４を励磁せず、スプリング６６によりバネ支持板５２をスリップリングＳＬａ，ＳＬｂ，…に対して第２の距離まで遠ざける。第２の距離は、ガイドピン５１ａに設けたストッパ６８ａの位置で決まる。これにより、バネ３３，３７，４１，４５，…が緩められ、比較的小さい第２の押圧力（例えば第１の押圧力の１／２〜１／１０）になる。
【００３０】
第２の実施形態にかかるＣＴ装置２００によれば、ブラシ３１，３５，…の無用な摩耗を低減できる。また、いずれの押圧力にしてもスリップリングＳＬａ，ＳＬｂ，…にブラシ３１，３５，…が当接しているため、ゴミが入る隙間を生じない。
【００３１】
−第３の実施形態−
図８は、第３の実施形態にかかるＣＴ装置３００の走査ガントリ２０の回転側に設けられたリング状ディスクＲＤと固定側に設けられたブラシ・ブロックＢＢを示す正面図である。図９，図１０は、図８のＰ−Ｐ’断面図である。
リング状ディスクＲＤに設けられている多数のスリップリングＳＬａ，ＳＬｂ，ＳＬｃ，ＳＬｄとブラシ・ブロックＢＢに設けられている多数のブラシ３１，３５，３９，４３，…との間で、電力や信号の伝達が行われる。
【００３２】
ブラシ・ブロックＢＢは、ボールねじ機構６０とモータ６１とにより支持されたホルダ支持板５６を具備している。また、ホルダ支持板５６の回転止めのための支持台５９ａ，５９ｂとガイドピン５１ａ，５１ｂを具備している。
ホルダ支持板５６は、ブラシ３１，３５，３９，４３，…を保持するためのホルダ３２，３６，４０，４４，…を保持している。
ホルダ３２，３６，４０，４４，…内には、ブラシ３１，３５，…の反スリップリング側面を押すバネ３３，３７，４１，４５，…が収容され、バネ３３，３７，４１，４５，…の反ブラシ側はバネキャップ３４，３８，４２，４６，…で押さえられている。
【００３３】
ホルダ支持板５６にはナット６３が固着され、ナット６３はネジ軸６２に螺合し、ネジ軸６２はモータ６１の回転軸に取り付けられ、モータ６１は固定側に固定されている。ナット６３とネジ軸６２によりボールねじ機構６０が構成されているため、モータ６１の回転により、ホルダ支持板５６をスリップリングＳＬａ，ＳＬｂ，…に対して移動することが出来る。
【００３４】
次に、ＣＴ装置３００の動作について説明する。
図９に示すように、例えばアキシャルスキャンやヘリカルスキャンでデータ収集を行う高速回転時には、切替制御部ＣＣは、モータ６１を所定量だけ回転させ、ホルダ支持板５６をスリップリングＳＬａ，ＳＬｂ，…に対して第１の距離に近づける。これにより、バネ３３，３７，４１，４５，…が縮められ、比較的大きい第１の押圧力になる。
一方、図１０に示すように、データ収集を行わない低速回転時には、切替制御部ＣＣは、モータ６１を所定量だけ逆回転させ、ホルダ支持板５６をスリップリングＳＬａ，ＳＬｂ，…に対して第２の距離まで遠ざける。これにより、バネ３３，３７，４１，４５，…が緩められ、比較的小さい第２の押圧力（例えば第１の押圧力の１／５〜１／１０）になる。
【００３５】
第３の実施形態にかかるＣＴ装置３００によれば、ブラシ３１，３５，…の無用な摩耗を低減できる。また、いずれの押圧力にしてもスリップリングＳＬａ，ＳＬｂ，…にブラシ３１，３５，…が当接しているため、ゴミが入る隙間を生じない。さらに、ホルダ３２，３６，４０，４４，…に対するバネキャップ３４，３８，４２，４６，…の螺合の程度を変えることにより、押圧力を個々に微調節可能である。
【００３６】
−第４の実施形態−
図１１は、第４の実施形態にかかるＣＴ装置４００の走査ガントリ２０の回転側に設けられたリング状ディスクＲＤと固定側に設けられたブラシ・ブロックＢＢを示す正面図である。図１２，図１３は、図１１のＰ−Ｐ’断面図である。
リング状ディスクＲＤに設けられている多数のスリップリングＳＬａ，ＳＬｂ，ＳＬｃ，ＳＬｄとブラシ・ブロックＢＢに設けられている多数のブラシ７１，７３，７５，７７，…との間で、電力や信号の伝達が行われる。
【００３７】
ブラシ・ブロックＢＢは、ボールねじ機構６０とモータ６１とにより支持された板バネ支持板５９を具備している。また、板バネ支持板５９の回転止めのための支持台５９ａ，５９ｂとガイドピン５１ａ，５１ｂを具備している。
板バネ支持板５９は、ブラシ７１，７３，７５，７７，…を弾性的に保持する板バネ７２，７４，７６，７８，…を保持している。
【００３８】
板バネ支持板５９にはナット６３が固着され、ナット６３はネジ軸６２に螺合し、ネジ軸６２はモータ６１の回転軸に取り付けられ、モータ６１は固定側に固定されている。ナット６３とネジ軸６２によりボールねじ機構６０が構成されているため、モータ６１の回転により、板バネ支持板５９をスリップリングＳＬａ，ＳＬｂ，…に対して移動することが出来る。
【００３９】
次に、ＣＴ装置４００の動作について説明する。
図１２に示すように、例えばアキシャルスキャンやヘリカルスキャンでデータ収集を行う高速回転時には、切替制御部ＣＣは、モータ６１を所定量だけ回転させ、板バネ支持板５９をスリップリングＳＬａ，ＳＬｂ，…に対して第１の距離に近づける。これにより、板バネ７２，７４，７６，７８，…の弾性力でブラシ７１，７３，７５，７７，…がスリップリングＳＬａ，ＳＬｂ，ＳＬｃ，ＳＬｄに接触する。
一方、図１３に示すように、データ収集を行わない低速回転時には、切替制御部ＣＣは、モータ６１を所定量だけ逆回転させ、板バネ支持板５９をスリップリングＳＬａ，ＳＬｂ，…に対して第２の距離まで遠ざける。これにより、ブラシ７１，７３，７５，７７，…が浮き上がり、スリップリングＳＬａ，ＳＬｂ，ＳＬｃ，ＳＬｄと非接触になる。
【００４０】
第４の実施形態にかかるＣＴ装置４００によれば、ブラシ７１，７３，…の無用な摩耗を回避できる。
【００４１】
−他の実施形態−
（１）第１〜第４の実施形態では、全系統の多数のブラシを一体に保持したが、系統ごとにブラシを保持するようにしてもよい。この場合、系統ごとにブラシの押圧力を切り替えたり、接触／非接触を切り替えたり出来る。
（２）第１〜第３の実施形態で接触／非接触を切り替えたり、第４の実施形態でブラシの押圧力を切り替えてもよい。
（３）モータ６１やソレノイド６４に代えて、油圧や空圧のアクチュエータを採用してもよい。
【００４２】
【発明の効果】
本発明のＣＴ装置によれば、例えばデータを収集しない低速回転時に、スリップリングへのブラシの押圧力を小さくするか又はスリップリングからブラシを浮かせることが出来る。このため、ブラシの無用の摩耗を低減または回避することが出来る。したがって、ブラシの寿命および交換サイクルを延長し、ランニングコストを節減できるようになる。
【図面の簡単な説明】
【図１】第１の実施形態にかかるＣＴ装置を示す構成図である。
【図２】第１の実施形態にかかるＣＴ装置のリング状ディスクとブラシ・ブロックを示す正面図である。
【図３】図２のＰ−Ｐ’断面図（高速回転時）である。
【図４】図２のＰ−Ｐ’断面図（低速回転時）である。
【図５】第２の実施形態にかかるＣＴ装置のリング状ディスクとブラシ・ブロックを示す正面図である。
【図６】図５のＰ−Ｐ’断面図（高速回転時）である。
【図７】図５のＰ−Ｐ’断面図（低速回転時）である。
【図８】第３の実施形態にかかるＣＴ装置のリング状ディスクとブラシ・ブロックを示す正面図である。
【図９】図８のＰ−Ｐ’断面図（高速回転時）である。
【図１０】図８のＰ−Ｐ’断面図（低速回転時）である。
【図１１】第４の実施形態にかかるＣＴ装置のリング状ディスクとブラシ・ブロックを示す正面図である。
【図１２】図１１のＰ−Ｐ’断面図（高速回転時）である。
【図１３】図１１のＰ−Ｐ’断面図（低速回転時）である。
【図１４】従来のＣＴ装置のリング状ディスクとブラシ・ブロックを示す正面図である。
【図１５】図１４のＰ−Ｐ’断面図である。
【符号の説明】
１００，２００，３００，４００　　　ＣＴ装置
２０　　　　　　　　　　　　　　　　走査ガントリ
３１，３５，３９，４３　　　　　　　ブラシ
７１，７３，７５，７７　　　　　　　ブラシ
ＢＢ　　　　　　　　　　　　　　　　ブラシ・ブロック
ＣＣ　　　　　　　　　　　　　　　　切替制御部
ＲＤ　　　　　　　　　　　　　　　　リング状ディスク
ＳＬａ，ＳＬｂ，ＳＬｃ，ＳＬｄ　　　スリップリング
【図１】
2004105365.tif 000003
【図２】
2004105365.tif 000004
【図３】
2004105365.tif 000005
【図４】
2004105365.tif 000006
【図５】
2004105365.tif 000007
【図６】
2004105365.tif 000008
【図７】
2004105365.tif 000009
【図８】
2004105365.tif 000010
【図９】
2004105365.tif 000011
【図１０】
2004105365.tif 000012
【図１１】
2004105365.tif 000013
【図１２】
2004105365.tif 000014
【図１３】
2004105365.tif 000015
【図１４】
2004105365.tif 000016
【図１５】
2004105365.tif 000017